(57)【要約】【課題】空調領域を分離して、領域ごとに異なる空調制御を行う際に、他の領域からの影響を軽減することで効率的な空調分離制御を行うことができる車両用空調装置を提供する。【解決手段】制御手段（２７）は、車両内において少なくとも左右方向の一方の領域と他方の領域とを分離して異なる空調制御を行う空調分離制御を実行する場合に、センタフェイス吹出口（２２）からの空調空気流れが一方の領域と他方の領域との境界近傍に向くように左右回動部材（３２）を回動制御するとともに、空調空気流れが上下方向に幅を有して平面状をなすように上下回動部材（３６）を回動制御することにより、境界近傍に空調空気層を形成する。【選択図】図６
2010030358.tif 000002
【特許請求の範囲】
【請求項１】
車両の左右方向略中央部に開口形成され、空調ユニットで温度調節された空調空気を主に乗員の上半身へ吹き出すセンタフェイス吹出口（２２）と、
当該センタフェイス吹出口（２２）に配設され、上下に揺動可能な複数の上下回動部材（３６）と左右に揺動可能な複数の左右回動部材（３２）とを有し、前記上下回動部材（３６）および前記左右回動部材（３２）を所定角度に回動動作させることで前記センタフェイス吹出口（２２）から吹き出す空調空気の風向きを含む吹出態様を変更する吹出態様可変機構（３０）と、
当該吹出態様可変機構（３０）を制御するとともに、前記車両内において少なくとも左右方向の一方の領域と他方の領域とを分離して異なる空調制御を行う空調分離制御を行う制御手段（２７）と、を備える車両用空調装置であって、
前記制御手段（２７）は、前記空調分離制御を実行する場合に、
前記センタフェイス吹出口（２２）からの空調空気流れが前記一方の領域と前記他方の領域との境界近傍に向くように前記左右回動部材（３２）を回動制御するとともに、前記空調空気流れが上下方向に幅を有して平面状をなすように前記上下回動部材（３６）を回動制御することにより、前記境界近傍に空調空気層を形成することを特徴とする車両用空調装置。
【請求項２】
前記制御手段（２７）は、前記左右回動部材（３２）を前記境界近傍に向く位置に固定制御するとともに、前記上下回動部材（３６）を上下に揺動するようスイング制御することにより、前記空調空気層を形成することを特徴とする請求項１に記載の車両用空調装置。
【請求項３】
前記境界近傍とは、前記一方の領域および前記他方の領域のいずれかの領域内の座席（４１）の車両内側端部であることを特徴とする請求項１または請求項２に記載の車両用空調装置。
【請求項４】
前記制御手段（２７）は、前記空調分離制御を実行する場合に、前記センタフェイス吹出口（２２）から吹き出す空調空気の風向きが乗員の車室内側の体の輪郭に略沿うように前記上下回動部材（３６）と前記左右回動部材（３２）を連動させてスイング制御することを特徴とする請求項１に記載の車両用空調装置。
【請求項５】
前記制御手段（２７）は、前記空調分離制御を実行する場合に、前記上下回動部材（３６）の回動方向が上向きであるほど前記左右回動部材（３２）の回動方向が車室外側となるように制御することを特徴とする請求項４に記載の車両用空調装置。
【発明の詳細な説明】
【技術分野】
【０００１】
本発明は、車両用空調装置に関する。
【背景技術】
【０００２】
例えば、特許文献１に記載される車両用空調装置は、各座席ごとに異なる目標吹出温度設定が可能な所謂、独立温度コントロールタイプの空調装置である。この車両用空調装置では、例えば、冬場の暖房時に、運転席に乗員（ドライバー）が乗っている状態で助手席に乗員が乗り込んできた場合に、助手席側には空調風を増量するように制御し、運転席側には風量減少による影響回避のため吹き出し温度を上げるように制御している。
【０００３】
また、独立温度コントロールタイプではなくても、着座センサ等により各座席の着席状況を検知して、乗員がドライバーのみである場合には、他の座席の吹出口を閉じることで一席集中空調制御を行うものもある。
【特許文献１】特開２００５−３２９９３２号公報
【発明の開示】
【発明が解決しようとする課題】
【０００４】
このような車両用空調装置において、一方の空調領域（運転席領域）と他の空調領域（助手席領域）とを分離させて独自の空調制御を実行したい場合には、一方の空調領域を他の空調領域と分離する必要がある。
【０００５】
しかしながら、例えば、冷房時に、助手席へ乗員が乗り込んだ場合など、助手席側の熱気（助手席側ドアが開くことによって侵入する外気および助手席乗員の熱い体からの輻射）が運転席側に流れてしまい、この熱気の影響で運転席領域における独立制御の効果が十分に発揮できないという問題があった。
【０００６】
上記問題に鑑み、本発明は、空調領域を分離して、領域ごとに異なる空調制御を行う際に、他の領域からの影響を軽減することで効率的な空調分離制御を行うことができる車両用空調装置を提供することを目的とする。
【課題を解決するための手段】
【０００７】
本発明は上記目的を達成するために、以下の技術的手段を採用する。
【０００８】
請求項１に記載の発明では、車両の左右方向略中央部に開口形成され、空調ユニットで温度調節された空調空気を主に乗員の上半身へ吹き出すセンタフェイス吹出口（２２）と、センタフェイス吹出口（２２）に配設され、上下に揺動可能な複数の上下回動部材（３６）と左右に揺動可能な複数の左右回動部材（３２）とを有し、上下回動部材（３６）および左右回動部材（３２）を所定角度に回動動作させることでセンタフェイス吹出口（２２）から吹き出す空調空気の風向きを含む吹出態様を変更する吹出態様可変機構（３０）と、吹出態様可変機構（３０）を制御するとともに、車両内において少なくとも左右方向の一方の領域と他方の領域とを分離して異なる空調制御を行う空調分離制御を行う制御手段（２７）と、を備える車両用空調装置であって、制御手段（２７）は、空調分離制御を実行する場合に、センタフェイス吹出口（２２）からの空調空気流れが一方の領域と他方の領域との境界近傍に向くように左右回動部材（３２）を回動制御するとともに、空調空気流れが上下方向に幅を有して平面状をなすように上下回動部材（３６）を回動制御することにより、境界近傍に空調空気層を形成することを特徴とする。
【０００９】
本構成では、吹出状態可変機構（３０）を制御することで、一方の領域（運転席側領域）と他方の領域（助手席側領域）との境界近傍に空調空気層を形成するようにしており、この空調空気層は各空調領域を仕切る仕切りとして作用する。このため、空調分離制御を実行する場合に、例えば他方の領域から一方の領域への熱的外乱の侵入を、空調空気層によって防ぐことができる。ここで、「一方の領域と他方の領域とを分離して異なる空調制御を行う」とは、一方の領域と他方の領域において、設定温度、吹出口モード、送風向き（左右回動部材や上下回動部材の回動角度）等の空調態様を決定するパラメータのいずれかまたは複数を異ならせて設定することができ、各領域をそれぞれ独自の空調態様で制御することを意味する。また、熱的外乱とは、例えば具体的には、車両のドアが開くことによって侵入する外気や、乗員の熱い体からの輻射のことを意味する。
【００１０】
すなわち、本構成によれば、空調領域を分離して、領域ごとに異なる空調制御（空調分離制御）を行う際に、他の領域からの影響を軽減することで効率的な空調分離制御を行うことができる。
【００１１】
請求項２に記載の発明では、制御手段（２７）は、左右回動部材（３２）を境界近傍に向く位置に固定制御するとともに、上下回動部材（３６）を上下に揺動するようスイング制御することにより、空調空気層を形成することを特徴とする。
【００１２】
本構成によれば、左右回動部材（３２）を境界近傍に向く位置に固定制御することで、空調風の左右方向における風向きが空調領域の境界位置に設定される。また、上下回動部材（３６）をスイング制御することで、上下方向に所定の空調範囲（幅）を持つ風流れ（ワイドフロー）が発生し、結果、境界近傍位置に一方の領域と他方の領域を仕切る平面状の空調空気層を形成することができる。
【００１３】
本構成によれば、上下回動部材（３６）および左右回動部材（３２）の簡単な制御によって、好適に空調空気層を形成することができる。
【００１４】
請求項３に記載の発明では、境界近傍とは、一方の領域および他方の領域のいずれかの領域内の座席（４１）の車両内側端部であることを特徴とする。
【００１５】
本構成によれば、例えば、運転席領域と助手席領域とを分離して空調制御する場合に、運転席（座席）（４１）もしくは助手席（４２）の車両内側端部位置に空調空気層を形成することができる。例えば、運転席（４１）の車両内側端部であれば、ドライバーに直接当たるか当たらないかの位置に空調空気層を形成することができる。
【００１６】
請求項４に記載の発明では、制御手段（２７）は、空調分離制御を実行する場合に、センタフェイス吹出口（２２）から吹き出す空調空気の風向きが乗員の車室内側の体の輪郭に略沿うように上下回動部材（３６）と左右回動部材（３２）を連動させてスイング制御することを特徴とする。
【００１７】
本構成によれば、センタフェイス吹出口（２２）から乗員の車室内側の体の輪郭に略沿うように空調空気を吹き出すことで、乗員の体の輪郭に略沿うような空調空気層を形成することができ、この空調空気層によって、分離空調する領域をなるべく小さく効率的に仕切ることができる。例えば、乗員がドライバーのみであって運転席に対応する吹出口以外の吹出口は閉じることで一席集中空調制御を行う場合等において、運転席領域を最小に分離して運転席領域での分離空調効率を上げることができる。
【００１８】
請求項５に記載の発明では、制御手段（２７）は、空調分離制御を実行する場合に、上下回動部材（３６）の回動方向が上向きであるほど左右回動部材（３２）の回動方向が車室外側となるように制御することを特徴とする。
【００１９】
座席に着席した乗員の車室内側の体の輪郭は、一般に頭部位置は腰部位置よりも車室外側に位置する。本構成によれば、上下回動部材（３６）の回動方向が上向きであるほど左右回動部材（３２）の回動方向が車室外側となるように、上下回動部材（３６）と左右回動部材（３２）をスイング制御することで、乗員の車室内側の体の輪郭に沿うような斜めのラインをなす空調空気層を形成することができる。
【００２０】
なお、上記各手段の括弧内の符号は、後述する実施形態記載の具体的手段との対応関係を示すものである。
【発明を実施するための最良の形態】
【００２１】
（第１実施形態）
本発明の第１実施形態について、図１〜図６を参照しつつ説明する。図１は、本発明の一実施形態である車両用空調装置１を示す模式図である。図１に示すように、車室内（空調室内）を空調する車両用空調装置１は、内部に空気流路が形成される空調ケーシング１０を有し、この空調ケーシング１０内の空気上流側部位には、内外気切換装置１１が設けられている。内外気切換装置１１には、内気を導入するための内気導入口１２と外気を導入するための外気導入口１３とが開口形成されているとともに、これらの各導入口１２，１３を選択的に開閉する内外気切換ドア１４が設けられている。この内外気切換ドア１４を回動作動させることで、各導入口１２，１３を選択的に開閉するようになっている。
【００２２】
内外気切換装置１１の下流側部位には、両導入口１２，１３から吸入された空気を送風する送風機１５が配設されている。送風機１５は、ブロワモータＭ１により駆動される。送風機１５の空気下流側には、室内に吹き出す空気を冷却する蒸発器１６が配設されている。蒸発器１６の空気下流側には、空気を加熱するヒータコア１７が配設されている。このヒータコア１７は、走行用エンジン１８の冷却水を熱源として空気を加熱している。
【００２３】
蒸発器１６の下流側には、ヒータコア１７をバイパスするバイパス流路１９が形成され、ヒータコア１７の空気上流側には、ヒータコア１７を通る風量とバイパス流路１９を通る風量との風量割合を調節するエアミックスドア２１が配設されている。
【００２４】
そして、空調ケーシング１０の最下流側部位には、車室内乗員の上半身に空調空気を吹き出すためのフェイス吹出口２２，２３（センタフェイス吹出口２２、サイドフェイス吹出口２３）と、車室内乗員の足元に空気を吹き出すためのフット吹出口２４と、フロントガラスの内面に向かって空気を吹き出すためのデフロスタ吹出口２５とが形成されており、各吹出口２２〜２５の空気上流側部位には、吹出口モードを切り換える吹出口モード切換ドア２６ａ〜２６ｃが配設されている。
【００２５】
なお、センタフェイス吹出口２２は、運転席用センタフェイス吹出口２２ａと助手席用センタフェイス吹出口２２ｂ（共に図２参照）を有しており、サイドフェイス吹出口２３は、運転席用サイドフェイス吹出口２３ａと助手席用サイドフェイス吹出口２３ｂ（共に図２参照）を有している。
【００２６】
図２は、車室内を示し、各吹出口２２〜２５の態様を詳細に説明する図である。図２に示すように、運転席用センタフェイス吹出口２２ａと助手席用センタフェイス吹出口２２ｂは、乗員の上半身に向けて温度調節された空調風を吹き出すように、インストルメントパネル（計器盤部）の略中央部に並んで配設されている。また、運転席用サイドフェイス吹出口２３ａは、主に運転席乗員の上半身または車両右側面窓ガラスの内面に向けて温度調節された空調風を吹き出すように、インストルメントパネルの右端部に配設されている。また、助手席用サイドフェイス吹出口２３ｂは、主に助手席乗員の上半身または車両左側面窓ガラスの内面に向けて温度調節された空調風を吹き出すように、インストルメントパネルの左端部に配設されている。
【００２７】
フット吹出口２４は、フロアパネルの上方であって、乗員着座時の足元近傍に、運転席用と助手席用とにそれぞれ設けられており、車室内の中央側からサイド側へ向かって送風するようになっている。
【００２８】
さらに、各センタフェイス吹出口２２ａ，２２ｂおよびサイドフェイス吹出口２３ａ，２３ｂには、空調風の吹出方向および吹出範囲等の吹出態様を変更することが可能なスイングルーバ装置３０（吹出態様可変機構、図３、図５参照）がそれぞれ設けられている。このスイングルーバ装置３０は、各センタフェイス吹出口２２ａ，２２ｂおよびサイドフェイス吹出口２３ａ，２３ｂに、それぞれ独立に制御される機構として設けられているものであるが、以下の説明では運転席用センタフェイス吹出口２２ａを例にその構造について説明する。スイングルーバ装置３０は、左右方向に揺動する左右方向スイング機構３０Ａ（図３参照）と、上下方向に揺動する上下方向スイング機構３０Ｂ（図５参照）とを有している。
【００２９】
図３は、左右方向スイング機構３０Ａを示す平面断面図である。図３に示すように、左右方向スイング機構３０Ａは、複数枚の左右ルーバ３２（左右回動部材）に支点を中心に揺動運動（スイング作動）を与えるリンクレバー３３ａと、アームプレート３４ａを介してリンクレバー３３ａを左右方向に往復運動させる左右駆動モータ（例えば、ステップモータ）３５ａとから構成されたスイングルーバアクチュエータである。より具体的には、左右駆動モータ３５ａの回転軸にアームプレート３４ａが装着され、このアームプレート３４ａと左右ルーバ３２がリンクレバー３３ａにて連結されている。なお、「左右ルーバ３２」とは、揺動方向が車両左右方向であることを意味し、その垂直断面形状は、上下方向に長手方向を有する長方形形状となっている。
【００３０】
そして、左右駆動モータ３５ａを駆動させると、アームプレート３４ａが揺動し、このアームプレート３４ａの回動によりリンクレバー３３ａが左右方向に変位して、左右ルーバ３２の左右方向の向きが調整されるようになっている。これら左右ルーバ３２は、各センタフェイス吹出口２２ａ，２２ｂにおいて、車両の進行方向に対して左右方向（車両の幅方向）に複数列設された風向可変ルーバである。
【００３１】
ここで、図４は、車室内を車両上方から見た平面図である。図４中、運転席用センタフェイス吹出口２２ａから実線および円弧状矢印で示している範囲が、左右ルーバ３２によって調節可能な空調左右範囲である。図４に示すように、運転席４１（座席）に着席したドライバーＤＲの上半身へ向けて空調空気を吹き出す運転席用センタフェイス吹出口２２ａからの送風では、左右ルーバ３２の回動角度によって、ドライバーの顔面左側周辺（左半身周辺）から、運転席４１と助手席４２との隙間４３へかけての範囲内で、その左右位置を調節できるようになっている。
【００３２】
また、図５は、上下方向スイング機構３０Ｂを示す垂直断面図である。図５に示すように、上下方向スイング機構３０Ｂは、複数枚の上下ルーバ３６（上下回動部材）に支点を中心に揺動運動（スイング作動）を与えるリンクレバー３３ｂと、アームプレート３４ｂを介してリンクレバー３３ｂを上下方向に往復運動させる上下駆動モータ（例えば、ステップモータ）３５ｂとから構成されたスイングルーバアクチュエータである。より具体的には、上下駆動モータ３５ｂの回転軸にアームプレート３４ｂが装着され、このアームプレート３４ｂと上下ルーバ３６がリンクレバー３３ｂにて連結されている。なお、「上下ルーバ３６」とは、揺動方向が車両上下方向であることを意味し、その水平断面形状は、左右方向に長手方向を有する長方形形状となっている。
【００３３】
そして、上下駆動モータ３５ｂを駆動させると、アームプレート３４ｂが揺動し、このアームプレート３４ｂの回動によりリンクレバー３３ｂが上下方向に変位して、上下ルーバ３６の上下方向の向きが調整されるようになっている。これら上下ルーバ３６は、各センタフェイス吹出口２２ａ，２２ｂにおいて、車両の上下方向（車両の高さ方向）に複数列設された風向可変ルーバである。つまり、各駆動モータ３５ａ，３５ｂを回転させることにより、運転席側乗員と助手席側乗員のそれぞれに向けて吹き出す空調風を、所定の揺動範囲（スイング範囲）にてスイングさせるように作動させることができる。
【００３４】
一方、車両用空調装置１は、制御手段としてのエアコンＥＣＵ２７（図３、図５参照）を有している。エアコンＥＣＵ２７は、ＣＰＵ、ＲＯＭおよびＲＡＭ（いずれも図示略）等を含む周知のマイクロコンピュータとその周辺回路から構成される。ＲＯＭ内には、空調制御のための制御プログラムを記憶しており、その制御プログラムに基づいて各種演算、処理を行う。
【００３５】
エアコンＥＣＵ２７には、上記した内外気切換ドア１４、送風機１５、エアミックスドア２１、吹出口モード切換ドア２６ａ〜２６ｃの他、エンジン冷却水の水温を検出する水温センサや車室内温度センサ等の各種センサ（図示略）が電気的に接続されている。そして、車両用空調装置１を作動させると、エアコンＥＣＵ２７は、送風機１５、各種ドア駆動用の各モータ（図示略）、各ルーバ３２，３６の駆動用の各モータ３５ａ，３５ｂ等の作動を制御するようになっている。
【００３６】
次に、上記構成に基づく作動について説明する。図６は、本実施形態においてエアコンＥＣＵ２７が実行する空調制御を説明するフローチャートである。このフローチャートでは、本実施形態の特徴的な部分（エアカーテン形成制御）のみを示しており、センサやスイッチからの各種データの読み込み、目標吹出温度の算出、ブロワ電圧の算出、吹出口モード決定、エアミックスドア開度の算出、スイングルーバ制御等の周知の処理（メインフロー）については省略してある。
【００３７】
本フローチャートは、空調制御開始後に付随的に実行されるものである。なお、通常制御におけるスイングルーバ制御は、各ルーバ３２、３６を揺動制御することで、乗員への好適な空調状態を得るものであり、例えば、乗員の着座位置、空調吹出しモード、空調状態（過渡状態、定常状態）、空調負荷、日射状態等に応じて空調風の吹出方向、ルーバ３２，３６のスイング範囲、スイング時間、スイング停止時間等を制御するようになっている。
【００３８】
図６に示すように、まず、ステップＳ１０で、車両用空調装置１の運転状態において空調分離制御を行っているか否かを判断する。ここで、本実施形態における空調分離制御とは、運転席４１を含む運転席領域と助手席４２を含む助手席領域とを分離させて制御する形態を示す。具体的な制御としては、例えば、冬場の暖房時、運転席４１に乗員（ドライバー）が乗っている状態で助手席４２に乗員が乗り込んできた場合に、助手席４２側には空調風を増量するように制御し、運転席４１側には風量減少による影響回避のため吹き出し温度を上げるように制御する熱履歴補正制御や、運転席４１のみに乗員がいる場合に、助手席４２側の吹出口（助手席用センタフェイス吹出口２２ｂ、助手席用サイドフェイス吹出口２３ｂ、助手席用のフット吹出口２４）を閉じることで運転席４１を集中して制御する一席集中空調制御が該当する。
【００３９】
そして、ステップＳ１０で空調分離制御を行っていると判断した場合には（ステップＳ１０：ＹＥＳ）、ステップＳ１１に進み、運転席用センタフェイス吹出口２２ａの左右ルーバ３２を所定位置へ固定制御する。所定位置は、空調分離する運転席領域（一方の領域）と助手席領域（他方の領域）との境界近傍であれば良く、具体的には、例えば、ドライバーの車室内側の体の輪郭（例えば、肩のライン。図４に破線ａで示す位置）や、運転席４１の車室内側端部（図４に破線ｂで示す位置）、運転席４１と助手席４２との隙間４３（図４に破線ｃで示す位置）に設定できる。
【００４０】
なお、乗員の体の輪郭、例えば肩のラインは、予め標準的な人の体型データにより図４に破線ａで示すように運転席４１の車室内側端部（破線ｂ）より車室外側に設定しておいても良いし、画像認識等により体の輪郭位置を検出して、検出された位置に左右ルーバ３２が向くように回動角度を設定するようにして構成しても良い。
【００４１】
次に、左右ルーバ３２を固定制御した後はステップＳ１２に進み、運転席用センタフェイス吹出口２２ａの上下ルーバ３６を所定範囲でスイング制御する。例えば、ドライバーの腰から頭部の高さに対応する上下範囲に亘って空調空気が送風されるように、上下ルーバ３６を上下に揺動作動（スイング）させる。この作動により、上下方向に所定の空調範囲（幅）を持つ風流れ（ワイドフロー）が発生し、運転席領域と助手席領域との間に、これらの領域を仕切るような平面状の空調空気層、所謂、エアカーテンを形成することができる。
【００４２】
次に、ステップＳ１３で、空調分離制御が解除されたか否かを判断する。「空調分離制御が解除された」とは、空調分離制御が熱履歴補正制御であれば補正制御が終了した場合であり、空調分離制御が一席集中制御であれば一席集中モードが解除された場合に相当する。そして、空調分離制御が解除されたと判断した場合には（ステップＳ１３：ＹＥＳ）、ステップＳ１４で、運転席用センタフェイス吹出口２２ａの左右ルーバ３２および上下ルーバ３６を元の位置に戻し、ステップＳ１５で通常制御（上記スイングルーバ制御）に移行する。これは、空調分離制御が解除されれば、運転席領域と助手席領域との間にエアカーテンを形成する必要がないためである。なお、ステップＳ１４の「元の位置」とは、ステップＳ１０での空調分離制御判断時において設定されていた位置を示す。
【００４３】
一方、ステップＳ１３で空調分離制御が解除されていないと判断した場合には（ステップＳ１３：ＮＯ）、解除されるまでステップＳ１１からステップＳ１３の処理を繰り返す。また、ステップＳ１０で、空調分離制御が行われていないと判断した場合には（ステップＳ１０：ＮＯ）、ステップＳ１５に進み、通常制御を実行する。
【００４４】
上記制御によれば、空調分離制御時には、ステップＳ１１とステップＳ１２における左右ルーバ３２と上下ルーバ３６の作動によって、運転席領域と助手席領域との間にエアカーテンを形成するようにしている。このエアカーテンが各空調領域を仕切る仕切りとして作用するため、例えば助手席領域から運転席領域への熱的外乱の侵入を防ぐことができる。具体的には、エアカーテンを形成することで、助手席側のドアが開くことによって車両内に侵入する外気（熱気、冷気）や、助手席乗員の熱い体からの輻射を防ぐことができる。
【００４５】
すなわち、本実施形態によれば、空調領域を分離して、領域ごとに異なる空調制御（空調分離制御）を行う際に、他の領域からの影響を軽減することで効率的な空調分離制御を行うことができる。
【００４６】
また、上記制御では、左右ルーバ３２を車両左右方向において所定位置に固定制御する。このため、例えば、ドライバーの車室内側の体の輪郭（例えば、肩であって、図４に破線ａで示す位置）に位置固定する場合には、運転席領域をなるべくコンパクトに仕切るエアカーテンを形成することができ、対象領域（運転席領域）での空調を効率的に行うことができる。
【００４７】
また、左右ルーバ３２を、運転席４１の車室内側端部（図４に破線ｂで示す位置）に位置固定する場合には、ドライバーの体に当たるか当たらないかの位置にエアカーテンを形成することができ、エアカーテンがドライバーの体に当たることで生じる違和感を回避することができる。
【００４８】
さらに、左右ルーバ３２を、運転席４１と助手席４２との隙間４３（図４に破線ｃで示す位置）に位置固定する場合には、エアカーテンがドライバーの体に当たることをより確実に防ぐことができる。また、上記実施形態のように運転席用センタフェイス吹出口２２ａのみでエアカーテンを形成する場合（助手席用センタフェイス吹出口２２ｂは通常制御の場合）に、このエアカーテンによって車両の左右方向を略均等に仕切ることができる。そして、それぞれの空調領域において他の空調領域の影響を受けることなく効率的に分離空調を実行することができる。
【００４９】
（その他の実施形態）
・  上記実施形態では、左右ルーバ３２を所定位置に固定制御するものとしたが、上下ルーバ３６と連動させてスイング制御するようにしても良い。具体的には、例えば、上下ルーバ３６の回動向きが上向きであるほど左右ルーバ３２の回動向きが車室外側となるようにスイング制御することができる。一般に、座席に着席した乗員の車室内側の体の輪郭は、頭部位置は腰部位置よりも車室外側に位置する。
【００５０】
したがって、この実施形態によれば、乗員の車室内側の体の輪郭に沿うような斜めのラインをなすエアカーテンを形成することができる。また、上下ルーバ３６の上下スイングに連動する左右ルーバ３２の左右位置を詳細に設定することで、より乗員の輪郭に沿うようなエアカーテンを形成しても良い。この場合、空調対象空間をより効率的に空調することができる。
【００５１】
・  上記実施形態では、運転席用センタフェイス吹出口２２ａに配設されるスイングルーバ装置３０によってエアカーテンを形成するようにしたが、助手席用センタフェイス吹出口２２ｂに配設されるスイングルーバ装置３０によってエアカーテンを形成するようにしても良い。この実施形態によれば、例えば、運転席４１にのみ乗員が乗っており運転席領域の一席集中空調制御をする際には、運転席用センタフェイス吹出口２２ａからの送風は通常制御で行い、助手席用センタフェイス吹出口２２ｂからの送風でエアカーテンを形成することができる。すなわち、助手席用センタフェイス吹出口２２ｂからの送風をエアカーテン形成用として専用に使用することができ、運転席領域での空調効率をさらに高めることができる。
【００５２】
・  さらに、運転席用センタフェイス吹出口２２ａ、助手席用センタフェイス吹出口２２ｂのいずれか一方ではなく、両方の吹出口２２ａ，２２ｂからの送風でそれぞれエアカーテンを形成するように構成しても良い。
【００５３】
・  上記実施形態では、上下ルーバ３６を上下にスイング制御することによってエアカーテンを形成するようにした。これに換えて、例えば、複数並設される各上下ルーバ３６のそれぞれを独立に回動可能な構成とし、各上下ルーバ３６の回動角度を所定の角度に固定することで、上下方向に幅を持つ風流れ（ワイドフロー）を発生させるようにしても良い。より具体的には、例えば、上半分の上下ルーバ３６を上向きに設定し、下半分の上下ルーバ３６を下向きに設定することで、上下方向に幅を持つ風流れ（ワイドフロー）を形成することができる。この実施形態であれば、上下ルーバ３６をスイング制御ではなく位置固定制御とすることでエアカーテンを形成することができる。
【００５４】
・  上記実施形態では、車室内前席の運転席４１と助手席４２の空調領域を分離する形態について説明したが、周知の後席用センタフェイス吹出口（図示略）によって、車室内後席の左右座席の空調領域を分離する形態において上記制御を実行しても良い。
【００５５】
・  さらに、空調空気温度設定が座席に応じて設定可能な、所謂、左右独立コントロールタイプや左右前後独立コントロールタイプの車両用空調装置において上記制御を実施しても良い。
【図面の簡単な説明】
【００５６】
【図１】本発明の一実施形態である車両用空調装置を示す模式図である。
【図２】車室内を示し、各吹出口の態様を説明する図である。
【図３】左右方向スイング機構を示す平面断面図である。
【図４】車室内を車両上方から見た平面図である。
【図５】上下方向スイング機構を示す垂直断面図である。
【図６】エアコンＥＣＵが実行する空調制御を説明するフローチャートである。
【符号の説明】
【００５７】
１  車両用空調装置
２２  センタフェイス吹出口
２２ａ  運転席用センタフェイス吹出口
２２ｂ  助手席用センタフェイス吹出口
２７  エアコンＥＣＵ（制御手段）
３０  スイングルーバ装置（吹出態様可変機構）
３０Ａ  左右方向スイング機構（吹出態様可変機構）
３０Ｂ  上下方向スイング機構（吹出態様可変機構）
３２  左右ルーバ（左右回動部材）
３６  上下ルーバ（上下回動部材）
４１  運転席（座席）
４２  助手席（座席）
【図１】
2010030358.tif 000003
【図２】
2010030358.tif 000004
【図３】
2010030358.tif 000005
【図４】
2010030358.tif 000006
【図５】
2010030358.tif 000007
【図６】
2010030358.tif 000008